(57)【要約】【課題】利用者と装置との距離にかかわらず、固定サイズの文字で番組表を表示するため、想定距離よりも近づいた場合、必要以上の大きさの文字により、表示部を有効に使えない。また、想定距離よりも遠い場合、文字が小さすぎて読めない事がある。更に、利用者の視力を反映していない。【解決手段】入力装置と表示部との距離を測定部が測定して、測定された距離に応じたフォントを用いて、番組表を構成し、表示部に表示する事ができる。そのため、表示領域を適切に利用した情報量を提示できる。また、視力を検出する課題への応答から視力を測定し、距離ではなく、視力に応じたフォントを使用して、番組表を表示できる。【選択図】図１
2006300983.tif 000002
【特許請求の範囲】
【請求項１】
キーボード、マウスまたは無線で制御信号を送信する入力装置と、前記入力装置から送信された制御信号を受信する受信部と、前記受信部に入力された信号から前記入力装置と前記受信部までの距離を測定する測定部と、番組情報を格納する格納部と、前記格納部から番組情報を読み出し、前記測定部が測定した距離に応じて、異なるＧＵＩを表示できる表示部を備える事を特徴とする番組表表示装置。
【請求項２】
前記表示部が番組内容を記載する文字フォントのサイズと表示する局数と時間数を変えた番組表を複数個表示でき、距離に応じて表示する番組表を変更できる事を特徴とする、請求項１記載の番組表表示装置。
【請求項３】
仕様許諾がなされていない場合、最も近い距離に応じたＧＵＩを表示する事を特徴とする、請求項１記載の番組表表示装置。
【請求項４】
キーボード、マウスまたは無線で制御信号を送信する入力装置と、前記入力装置から送信された制御信号を受信する受信部と、番組情報を格納する格納部と、前記入力装置で入力された距離情報に応じて、異なるＧＵＩを表示できる表示部を備える事を特徴とする番組表表示装置。
【請求項５】
前記入力装置で入力された、距離、時間、裸眼視力、矯正視力、眼鏡の使用有無の情報に応じて、時間や利用者の視力を反映した修正距離を決定する判定部をさらに備え、前記判定部で決定された距離に応じて異なるＧＵＩを表示する事を特徴とする、請求項４記載の番組表表示装置。
【請求項６】
前記視力検出部が前記表示部に視力検出用の課題を表示し、その課題に応答する事で視力を検出する検出部をさらに備え、前記検出部の出力を基に前記判定部が視力を反映した修正距離を決定する事を特徴とする、請求項５記載の番組表表示装置。
【発明の詳細な説明】
【技術分野】
【０００１】
本発明は番組情報を表示部に表示する装置に関するものである。
【背景技術】
【０００２】
近年、インターネットの進展により番組情報データをネットワークから受信できるテレビやパソコンなどが続々と発売されている（例えば特許文献１参照。）。
【特許文献１】特許第３３０５７２７号公報（第２頁、第１２図）
【発明の開示】
【発明が解決しようとする課題】
【０００３】
前記機器は取得した番組情報を表示部に表示する。前記機器は特定の距離から表示された番組表を読む事を前提しているため、特定の距離よりも離れた場合、文字の認識が困難になる。また特定の距離より近づいた場合、文字の認識は容易になるが、本来表示できる文字数よりも少ない文字数しか表示しておらず、表示部を有効に使っていない事が課題である
【課題を解決するための手段】
【０００４】
上記問題点を解決するために、本発明（請求項１）に係る番組表表示装置は入力装置と番組表表示部との距離を測定し、距離に応じたＧＵＩを表示する事ができる。
【０００５】
また、本発明（請求項２）に係る番組表表示装置は、距離に応じて、文字フォントのサイズを変更できる。
【０００６】
また、本発明（請求項３）に係る番組表表示装置は、使用許諾がなされていない場合、種々の設定画面や長大な許諾文面を表示するために、もっとも近い距離に応じたＧＵＩを表示する事ができる。
【０００７】
また、本発明（請求項４）に係る番組表表示装置は、入力装置と番組表表示部との距離を利用者が入力する事で距離を設定できる。
【０００８】
また、本発明（請求項５）に係る番組表表示装置は、入力装置と番組表表示部との距離、時間帯や利用者の眼鏡の状態などを用いて、修正した距離を決定できる。
【０００９】
また、本発明（請求項６）に係る番組表表示装置は、視力を検出し、視力に合わせて修正した距離を決定できる。
【発明の効果】
【００１０】
以上のように本発明によれば、入力装置と番組表表示部との距離を測定し、距離に応じて、文字フォントの大きさを変更したＧＵＩを表示する事ができる。また、使用許諾がなされていない場合、種々の設定画面や長大な許諾文面を表示するために、もっとも近い距離に応じたＧＵＩを表示する事ができる。更に、距離を測定する事ができない時でも、利用者に距離を入力して貰ったり、視力を簡単な課題で測定し、視力に応じた距離に最適なＧＵＩを表示できる。
【発明を実施するための最良の形態】
【００１１】
（実施の形態１）
以下本発明の実施の形態１による映像信号表示装置について、図１、図５、図９、図１０を参照しながら説明する。
【００１２】
図１は、本実施の形態１による映像信号表示装置の構成を示すブロック図である。図１において、１０１は表示部、１０２は表示制御部、１０３は表示情報作成部、１０４は受信部、１０５は距離測定部、１０６は番組情報格納部である。
【００１３】
次に本実施の形態による映像信号表示装置の動作について説明する。図５は処理の流れを示すフロー図である。
【００１４】
本装置で用いる入力装置はキーボードとマウス及び無線で信号を送信するリモコンを想定しており、リモコンでは文字入力が困難であるため、使用許諾の様に利用者の情報を入力する場合、リモコンは不適当であり、キーボードでの入力を必要とする。本装置が起動された場合、使用許諾が実施されたかを確認する。（Ｓ５０１）使用許諾が未だされていない場合、利用者にマウスとキーボードで使用許諾を依頼する画面を表示する。使用許諾の依頼画面では使用許諾をしない事を選択する事もでき、使用許諾に了承を得られた場合、（Ｓ５０２）、入力装置から使用許諾画面に必要な情報を入力する。（Ｓ５０３）この使用許諾依頼画面と使用許諾画面は利用者と入力部にかかわらず、キーボードとマウスで入力を行う画面を常に表示する。
【００１５】
使用許諾が終了しており、利用者が無線で信号を送るリモコンを使って、装置を制御する場合、距離測定部１０５は入力信号の方向から入力装置までの距離を判定し、表示情報作成部１０３に渡す。（Ｓ５０４）距離測定部１０５は光を利用者にあてて戻ってくる時間から距離を測定する。本技術は自動焦点カメラで既に実用化されている。
【００１６】
表示情報作成部１０３は番組情報格納部１０６から番組情報を取得し、距離測定部１０５が測定した入力装置までの距離に応じたＧＵＩを作成し、表示制御部１０２に送る。１Ｍ程度の距離から制御する場合、例えば、図９に示す番組表をＧＵＩとして作成する。（Ｓ５０５）表示制御部１０２は表示部１０１にＧＵＩを表示させる。（Ｓ５０６）
３Ｍ程度の距離から制御する場合、文字フォントの大きさを変えて番組表を表示する。文字フォントの大きさを変えると、番組名や局名の文字数を変えない場合、表示できる局数や時間数の数が少なくなり、図１０のような番組表が表示される。番組名の一部を表示して、局数や時間数をなるべく変えないで番組表を表示する事も可能である。
【００１７】
（実施の形態２）
以下本発明の実施の形態２による映像信号表示装置について、図２、図６を参照しながら説明する。
【００１８】
図２は、本発明の実施の形態２による映像信号表示装置の構成を示すブロック図である。図１と同じ番号の構成部は図１と同じである。
【００１９】
次に本実施の形態による映像信号表示装置の動作について説明する。図６は処理の流れを示すフロー図である。図５と同じ番号のステップは図５と同じである。
【００２０】
本発明の実施の形態１では、距離測定部が利用者との距離を測定するが、本実施例では、利用者自らが入力する点が異なる。表示情報作成部１０３が距離を入力する画面を作成し、表示制御部１０２に送る。表示制御部１０２が表示部１０１に表示させる。利用者は入力装置から装置までの距離を入力する。受信部１０４は入力された距離を表示情報作成部１０３に渡す。（Ｓ６０４）距離の入力は数値の入力であるため、リモコンの数字キーで２Ｍなど比較的容易に入力できる。
【００２１】
（実施の形態３）
以下本発明の実施の形態３による映像信号表示装置について、図３、図７、図１１を参照しながら説明する。
【００２２】
図３は、本発明の実施の形態３による映像信号表示装置の構成を示すブロック図である。３０５は距離判定部であり、その他の図１と同じ番号の構成部は図１と同じである。
【００２３】
次に本発明の実施の形態による映像信号表示装置の動作について説明する。図７は処理の流れを示すフロー図である。図５と同じ番号のステップは図５と同じである。
【００２４】
本実施の形態２では、利用者自らが利用者との距離を入力していたが、本実施の形態では、時間、裸眼視力、矯正視力、眼鏡の使用有無から距離を修正して反映できる点が異なる。本実施の形態１や２では絶対距離からＧＵＩを決定しているが、利用者の視力や眼鏡での矯正によって、どの程度の大きさの文字が見えるかが異なり、距離を修正する必要がある。また、時間帯によっても視力は異なるため、時間による変動を取り入れる。通常朝方は視力が良く、夕方には悪くなると推定できる。
【００２５】
表示情報作成部１０３が距離、時間、裸眼視力、矯正視力、眼鏡の使用有無を入力する画面を作成し、表示制御部１０２に送る。表示制御部１０２が表示部１０１に表示させる。図１１は前記質問事項を利用者が入力する画面の一例であり、数字キーとカーソルキーを備えた標準的なリモコンを用いて、これらの質問に対する回答を容易に入力できる。利用者は前記質問事項に対する回答を入力し、受信部１０４は入力された回答を距離判定部３０５に渡す。距離判定部３０５は、回答から時間や利用者の視力を反映した修正距離を決定し、表示情報作成部１０３に渡す。（Ｓ７０４）
（実施の形態４）
以下本発明の実施の形態４による映像信号表示装置について、図４、図８を参照しながら説明する。
【００２６】
図４は、本発明の実施の形態４による映像信号表示装置の構成を示すブロック図である。４０６は視力検出部であり、その他の図１と同じ番号の構成部は図１と同じである。
【００２７】
次に本発明の実施の形態による映像信号表示装置の動作について説明する。図８は処理の流れを示すフロー図である。図５と同じ番号のステップは図５と同じである。
【００２８】
本実施の形態２では、利用者自らが利用者との距離を入力していたが、本実施の形態では、実際の視力を測定して、実視力により、距離を修正して反映できる点が異なる。また、本実施の形態３では視力は自己申告により決定するが、本実施の形態では測定する事によって正しく視力を距離に反映できる。また、随時視力測定を行えるので、視力変動を逐次反映する事ができる。
【００２９】
視力検出部４０６が視力検出用の課題を作成して、表示情報作成部１０３に送る。視力検出は上下左右の一方向が欠けた円の記号を表示して、欠けた方向をリモコンのカーソルキーで利用者が入力する事で容易に判定できる。表示情報作成部１０３が、前記視力検出用課題を表示制御部１０２に送り、表示制御部１０２が表示部１０１に表示させる。利用者は前記課題の回答を入力し、受信部１０４は入力された回答を視力検出部４０６に渡す。視力検出部４０６は回答から視力を決定し、視力を距離判定部３０５に渡す。距離判定部３０５は視力を反映した距離を決定し、表示情報作成部１０３に渡す。（Ｓ８０４）
【産業上の利用可能性】
【００３０】
本発明は番組情報等を表示部に表示する装置に適用できる。
【図面の簡単な説明】
【００３１】
【図１】本発明の実施の形態１による番組表表示装置の構成を示すブロック図
【図２】本発明の実施の形態２による番組表表示装置の構成を示すブロック図
【図３】本発明の実施の形態３による番組表表示装置の構成を示すブロック図
【図４】本発明の実施の形態４による番組表表示装置の構成を示すブロック図
【図５】本発明の実施の形態１による番組表表示装置の処理の流れを示す図
【図６】本発明の実施の形態２による番組表表示装置の処理の流れを示す図
【図７】本発明の実施の形態３による番組表表示装置の処理の流れを示す図
【図８】本発明の実施の形態４による番組表表示装置の処理の流れを示す図
【図９】本発明の実施の形態１による標準的な距離での番組表表示装置の画面の一例図
【図１０】本発明の実施の形態１による標準より遠方の距離での番組表表示装置の画面の一例図
【図１１】本発明の実施の形態３による番組表表示装置の視力を照会する画面の一例図
【符号の説明】
【００３２】
１０１    表示部
１０２    表示制御部
１０３    表示情報作成部
１０４    受信部
１０５    距離測定部
１０６    入力装置
３０５    距離判定部
４０６    視力検出部
【図１】
2006300983.tif 000003
【図２】
2006300983.tif 000004
【図３】
2006300983.tif 000005
【図４】
2006300983.tif 000006
【図５】
2006300983.tif 000007
【図６】
2006300983.tif 000008
【図７】
2006300983.tif 000009
【図８】
2006300983.tif 000010
【図９】
2006300983.tif 000011
【図１０】
2006300983.tif 000012
【図１１】
2006300983.tif 000013